(57)【要約】本開示は、内容を表示するための方法及び装置に関し、コンピュータ技術の分野に属する。当該方法は、ディスプレイスクリーンにおける表示内容が変化したか否かを検出することと、表示内容が変化しなかった場合、各列の表示単位における第１部分の表示単位及び第２部分の表示単位に対応する表示データを交互に更新するように、ディスプレイスクリーンを制御することとを含み、元のリフレッシュ周波数を維持するとともに、毎回のディスプレイスクリーンの更新画素の数が低減され、ディスプレイスクリーンのリフレッシュ周波数を低減することによってディスプレイスクリーンに生じ得るスプラッシュ・スクリーン現象の問題が解決される。従って、ディスプレイスクリーンのスプラッシュ・スクリーン現象を回避し、また、ディスプレイスクリーンの元のリフレッシュ周波数を維持しながらディスプレイスクリーンの消費電力を低減する効果が達成される。
2017538136.tif 000002
【特許請求の範囲】
【請求項１】
内容を表示するための方法であって、
ディスプレイスクリーンにおける表示内容が変化したか否かを検出することと、
前記表示内容が変化しなかった場合、各列の表示単位における第１部分の表示単位及び第２部分の表示単位に対応する表示データを交互に更新するように前記ディスプレイスクリーンを制御することと、を含み、
前記表示単位は、列により区画されたｍ列の画素の組み合わせであり、ｍは正の整数であり、
前記第１部分の表示単位はｉ個の第１ユニットを含み、前記第２部分の表示単位はｊ個の第２ユニットを含み、前記第１ユニットと前記第２ユニットとは交互に配置されており、ｉ及びｊは正の整数であり、
前記第１ユニットは連続するｐ個の画素を含み、前記第２ユニットは連続するｑ個の画素を含み、ｐ及びｑはいずれも１より大きいことを特徴とする方法。
【請求項２】
隣接する二つの列の前記表示単位において、第１列の表示単位におけるすべての第１ユニットと第２列の表示単位におけるすべての第１ユニットとは行方向に互いにずれており、かつ、隣接する二つの列の前記表示単位において、第１列の表示単位におけるすべての第２ユニットと第２列の表示単位におけるすべての第２ユニットとは行方向に互いにずれていることを特徴とする請求項１に記載の方法。
【請求項３】
各画素は、対応するイネーブル線を介して駆動集積回路に電気的に接続されており、且つ各画素は、スイッチを介してデータ線に電気的に接続されており、
前記各列の表示単位における第１部分の表示単位及び第２部分の表示単位に対応する表示データを交互に更新するように前記ディスプレイスクリーンを制御することは、
奇数回更新する時、前記駆動集積回路により各第１ユニットのすべての画素のスイッチを第１状態に制御し且つ各第２ユニットのすべての画素のスイッチを第２状態に制御することと、
偶数回更新する時、前記駆動集積回路により各第１ユニットのすべての画素のスイッチを第２状態に制御し且つ各第２ユニットのすべての画素のスイッチを第１状態に制御することと、
を含むことを特徴とする請求項１に記載の方法。
【請求項４】
前記各列の表示単位における第１部分の表示単位及び第２部分の表示単位に対応する表示データを交互に更新するように前記ディスプレイスクリーンを制御することは、更に、
前記表示内容が変化しなかったことが検出されると、プロセッサにより前記表示内容におけるすべての表示単位に対応する前記表示データを生成することと、
前記ディスプレイスクリーンの駆動集積回路へ前記第１部分の表示単位及び前記第２部分の表示単位に対応する前記表示データを交互に伝送するように、前記プロセッサにより伝送バスを制御することと、を含み、
前記駆動集積回路は、受信した前記表示データに応じて更新するように前記ディスプレイスクリーンを制御するように構成されていることを特徴とする請求項３に記載の方法。
【請求項５】
前記各列の表示単位における第１部分の表示単位及び第２部分の表示単位に対応する表示データを交互に更新するように前記ディスプレイスクリーンを制御することは、更に、
前記表示内容が変化しなかったことが検出されると、プロセッサにより前記表示内容におけるすべての表示単位に対応する前記表示データを生成することと、
前記プロセッサにより前記ディスプレイスクリーンの駆動集積回路へ、伝送バスを介して伝送される前記表示データを伝送することと、
前記プロセッサにより前記駆動集積回路へ交互更新指令を送信することと、を含み、
前記駆動集積回路は、前記交互更新指令に応じて前記表示データにおける前記第１部分の表示単位及び前記第２部分の表示単位に対応する表示データを交互に更新するように前記ディスプレイスクリーンを制御するように構成されていることを特徴とする、請求項３に記載の方法。
【請求項６】
前記各列の表示単位における第１部分の表示単位及び第２部分の表示単位に対応する表示データを交互に更新するように前記ディスプレイスクリーンを制御することは、更に、
前記表示内容が変化しなかったことが検出されると、プロセッサにより前記表示内容における前記第１部分の表示単位及び前記第２部分の表示単位に対応する前記表示データを交互に生成することと、
生成された前記表示データを前記プロセッサにより前記ディスプレイスクリーンの前記駆動集積回路へ伝送することと、を含み、
前記駆動集積回路は、受信した前記表示データに応じて更新するように前記ディスプレイスクリーンを制御するように構成され、前記表示データは、伝送バスを介して伝送されることを特徴とする請求項３に記載の方法。
【請求項７】
内容を表示するための装置であって、
ディスプレイスクリーンにおける表示内容が変化したか否かを検出するように構成された検出モジュールと、
前記表示内容が変化しなかったことが前記検出モジュールにより検出されると、各列の表示単位における第１部分の表示単位及び第２部分の表示単位に対応する表示データを交互に更新するように前記ディスプレイスクリーンを制御するように構成された制御モジュールと、を含み、
前記表示単位は、列により区画されたｍ列の画素の組み合わせであり、ｍは正の整数であり、
前記第１部分の表示単位はｉ個の第１ユニットを含み、前記第２部分の表示単位はｊ個の第２ユニットを含み、前記第１ユニットと前記第２ユニットとは交互に配置されており、ｉ及びｊは正の整数であり、
前記第１ユニットは連続するｐ個の画素を含み、前記第２ユニットは連続するｑ個の画素を含み、ｐ及びｑはいずれも１より大きいことを特徴とする装置。
【請求項８】
隣接する二つの列の表示単位において、第１列の表示単位におけるすべての第１ユニットと第２列の表示単位におけるすべての第１ユニットとは行方向に互いにずれており、かつ、隣接する二つの列の表示単位において、第１列の表示単位におけるすべての第２ユニットと第２列の表示単位におけるすべての第２ユニットとは行方向に互いにずれていることを特徴とする請求項７に記載の装置。
【請求項９】
各画素は、対応するイネーブル線を介して駆動集積回路に電気的に接続されており、且つ各画素は、スイッチを介してデータ線に電気的に接続されており、
前記制御モジュールは、
奇数回更新する時、前記駆動集積回路により各第１ユニットのすべての画素のスイッチを第１状態に制御し且つ各第２ユニットのすべての画素のスイッチを第２状態に制御するように構成された第１制御サブモジュールと、
偶数回更新する時、前記駆動集積回路により各第１ユニットのすべての画素のスイッチを第２状態に制御し且つ各第２ユニットのすべての画素のスイッチを第１状態に制御するように構成された第２制御サブモジュールと、
を含むことを特徴とする、請求項７に記載の装置。
【請求項１０】
前記制御モジュールは、更に、
前記表示内容が変化しなかったことが前記検出モジュールにより検出されると、プロセッサによって前記表示内容におけるすべての表示単位に対応する前記表示データを生成するように構成された第１生成サブモジュールと、
前記第１生成サブモジュールにより生成された前記第１部分の表示単位及び前記第２部分の表示単位に対応する前記表示データを交互に前記ディスプレイスクリーンの駆動集積回路へ伝送するように、前記プロセッサにより伝送バスを制御するように構成された第１伝送サブモジュールと、を含み、
前記駆動集積回路は、受信した前記表示データに応じて更新するように前記ディスプレイスクリーンを制御するように構成されていることを特徴とする、請求項９に記載の装置。
【請求項１１】
前記制御モジュールは、更に、
前記表示内容が変化しなかったことが前記検出モジュールにより検出されると、プロセッサにより前記表示内容におけるすべての表示単位に対応する前記表示データを生成するように構成された第２生成サブモジュールと、
前記第２生成サブモジュールにより生成された前記表示データを前記プロセッサにより前記ディスプレイスクリーンの駆動集積回路へ伝送するように構成された第２伝送サブモジュールであって、前記表示データが伝送バスを介して伝送される第２伝送サブモジュールと、
前記プロセッサにより前記駆動集積回路へ交互更新指令を送信するように構成された指令送信サブモジュールと、を含み、
前記駆動集積回路は、前記交互更新指令に応じて、前記第２伝送サブモジュールにより伝送された前記表示データにおける前記第１部分の表示単位及び前記第２部分の表示単位に対応する表示データを交互に更新するように、前記ディスプレイスクリーンを制御するように構成されていることを特徴とする、請求項９に記載の装置。
【請求項１２】
前記制御モジュールは、更に、
前記表示内容が変化しなかったことが前記検出モジュールにより検出されると、プロセッサにより前記表示内容における前記第１部分の表示単位及び前記第２部分の表示単位に対応する前記表示データを交互に生成するように構成された第３生成サブモジュールと、
前記第３生成サブモジュールにより生成された前記表示データを、前記プロセッサにより前記ディスプレイスクリーンの駆動集積回路へ伝送するように構成された第３伝送サブモジュールと、を含み、
前記駆動集積回路は、受信した前記表示データに応じて更新するように前記ディスプレイスクリーンを制御するように構成され、前記表示データは伝送バスを介して伝送されることを特徴とする、請求項９に記載の装置。
【請求項１３】
内容を表示するための装置であって、
プロセッサと、
プロセッサにより実行可能な指令を記憶するように構成されたメモリーと、を含み、
前記プロセッサは、
ディスプレイスクリーンにおける表示内容が変化したか否かを検出し、前記表示内容が変化しなかった場合、各列の表示単位における第１部分の表示単位及び第２部分の表示単位に対応する表示データを交互に更新するように、前記ディスプレイスクリーンを制御するように構成されており、
前記表示単位は、列により区画されたｍ列の画素の組み合わせであり、ｍは正の整数であり、
前記第１部分の表示単位はｉ個の第１ユニットを含み、前記第２部分の表示単位はｊ個の第２ユニットを含み、前記第１ユニットと前記第２ユニットとは交互に配置されており、ｉ及びｊは正の整数であり、
前記第１ユニットは、連続するｐ個の画素を含み、前記第２ユニットは連続するｑ個の画素を含み、ｐ及びｑはいずれも１より大きいことを特徴とする、装置。
【発明の詳細な説明】
【技術分野】
【０００１】
[関連出願の参照]
本出願は、出願番号が２０１５１０６９６９３０．Ｘで、出願日が２０１５年１０月２２日である中国特許出願に基づいて提出されるとともに、当該中国特許出願の優先権を主張するものであり、当該中国特許出願のすべての内容が参照により本出願に組み込まれている。
【０００２】
本開示は、画像処理技術の分野に関し、特に、内容を表示するための方法及び装置に関する。
【背景技術】
【０００３】
スマート・デバイスの消費電力の重要部分であるディスプレイスクリーンの消費電力が、スマート・デバイスのバッテリーの持続期間に直に影響する。関連技術では、ディスプレイスクリーンのリフレッシュ周波数を低下させることによって、ディスプレイスクリーンの消費電力を低減する効果が実現されている。しかしながら、ディスプレイスクリーンのリフレッシュ周波数が低下すると、スプラッシュ・スクリーン現象（ｓｐｌａｓｈ  ｓｃｒｅｅｎ  ｐｈｅｎｏｍｅｎｏｎ）が生じ得る。
【発明の概要】
【発明が解決しようとする課題】
【０００４】
関連分野の問題を解決するため、本開示は、内容を表示するための方法及び装置を提供する。
【課題を解決するための手段】
【０００５】
本開示の実施例の第１側面によれば、内容を表示するための方法が提供され、該方法は、
ディスプレイスクリーンにおける表示内容が変化したか否かを検出することと、
表示内容が変化しなかった場合、各列の表示単位における第１部分の表示単位及び第２部分の表示単位に対応する表示データを交互に更新するようにディスプレイスクリーンを制御することと、を含み、
前記表示単位は、列により区画されたｍ列の画素の組み合わせであり、ｍは正の整数であり、
前記第１部分の表示単位はｉ個の第１ユニットを含み、前記第２部分の表示単位はｊ個の第２ユニットを含み、前記第１ユニットと前記第２ユニットとは交互に配置されており、ｉ及びｊは正の整数であり、
前記第１ユニットは連続するｐ個の画素を含み、前記第２ユニットは連続するｑ個の画素を含み、ｐ及びｑはいずれも１より大きい。
【０００６】
代替として、内容を表示するための方法は、更に、隣接する二つの列の表示単位において、第１列の表示単位におけるすべての第１ユニットと、第２列の表示単位におけるすべての第１ユニットとは行方向に互いずれており、かつ、隣接する二つの列の表示単位において、第１列の表示単位におけるすべての第２ユニットと第２列の表示単位におけるすべての第２ユニットとは行方向に互いにずれていることを含む。
【０００７】
代替として、各列の表示単位における第１部分の表示単位及び第２部分の表示単位に対応する表示データを交互に更新するようにディスプレイスクリーンを制御することは、
奇数回更新する時、駆動集積回路により各第１ユニットのすべての画素のスイッチを第１状態に制御し且つ各第２ユニットのすべての画素のスイッチを第２状態に制御することと、
偶数回更新する時、駆動集積回路により各第１ユニットのすべての画素のスイッチを第２状態に制御し且つ各第２ユニットのすべての画素のスイッチを第１状態に制御することと、を含み、
各画素は、対応するイネーブル線を介して駆動集積回路に電気的に接続されており、且つ各画素はスイッチを介してデータ線に電気的に接続されている。
【０００８】
代替として、前記各列の表示単位における第１部分の表示単位及び第２部分の表示単位に対応する表示データを交互に更新するように前記ディスプレイスクリーンを制御することは、更に、
前記表示内容が変化しなかったことが検出されると、プロセッサにより前記表示内容におけるすべての表示単位に対応する表示データを生成することと、
前記第１部分の表示単位及び前記第２部分の表示単位に対応する表示データを交互に前記ディスプレイスクリーンの駆動集積回路へ伝送するようにプロセッサにより伝送バスを制御することと、を含み、
前記駆動集積回路は、受信した前記表示データに応じて更新するように、前記ディスプレイスクリーンを制御するように構成されている。
【０００９】
代替として、前記各列の表示単位における第１部分の表示単位及び第２部分の表示単位に対応する表示データを交互に更新するように前記ディスプレイスクリーンを制御することは、更に、
前記表示内容が変化しなかったことが検出されると、プロセッサにより前記表示内容におけるすべての表示単位に対応する表示データを生成することと、
前記プロセッサによりディスプレイスクリーンの駆動集積回路へ、伝送バスを介して伝送される表示データを伝送することと、
プロセッサにより前記駆動集積回路へ交互更新指令を送信することと、を含み、
前記駆動集積回路は、前記交互更新指令に応じて前記表示データにおける前記第１部分の表示単位及び前記第２部分の表示単位に対応する表示データを交互に更新するように前記ディスプレイスクリーンを制御するように構成されている。
【００１０】
代替として、前記各列の表示単位における第１部分の表示単位及び第２部分の表示単位に対応する表示データを交互に更新するように前記ディスプレイスクリーンを制御することは、更に、
表示内容が変化しなかったことが検出されると、プロセッサにより前記表示内容における前記第１部分の表示単位及び前記第２部分の表示単位に対応する前記表示データを交互に生成することと、
生成された前記表示データを前記プロセッサにより前記ディスプレイスクリーンの前記駆動集積回路へ伝送することと、を含み、
前記駆動集積回路は、受信した表示データに応じて更新するように前記ディスプレイスクリーンを制御するように構成され、前記表示データは、伝送バスを介して伝送される。
【００１１】
本開示の実施例の第２側面によれば、内容を表示するための装置が提供され、該装置は、
ディスプレイスクリーンにおける表示内容が変化したか否かを検出するように構成された検出モジュールと、
表示内容が変化しなかったことが検出モジュールにより検出されると、各列の表示単位における第１部分の表示単位及び第２部分の表示単位に対応する表示データを交互に更新するようにディスプレイスクリーンを制御するように構成された制御モジュールと、を含み、
前記表示単位は、列により区画されたｍ列の画素の組み合わせであり、ｍは正の整数であり、
前記第１部分の表示単位はｉ個の第１ユニットを含み、前記第２部分の表示単位はｊ個の第２ユニットを含み、前記第１ユニットと前記第２ユニットとは交互に配置されており、ｉ及びｊは正の整数であり、
前記第１ユニットは連続するｐ個の画素を含み、前記第２ユニットは連続するｑ個の画素を含み、ｐ及びｑはいずれも１より大きい。
【００１２】
代替として、隣接する二つの列の表示単位において、第１列の表示単位におけるすべての第１ユニットと第２列の表示単位におけるすべての第１ユニットとは行方向に互いにずれており、かつ、隣接する二つの列の表示単位において、第１列の表示単位におけるすべての第２ユニットと第２列の表示単位におけるすべての第２ユニットとは行方向に互いにずれていることを含む。
【００１３】
代替として、各画素は、対応するイネーブル線を介して駆動集積回路に電気的に接続されており、且つ各画素は、スイッチを介してデータ線に電気的に接続されており、
前記制御モジュールは、
奇数回更新する時、前記駆動集積回路により各第１ユニットのすべての画素のスイッチを第１状態に制御し且つ各第２ユニットのすべての画素のスイッチを第２状態に制御するように構成された第１制御サブモジュールと、
偶数回更新する時、前記駆動集積回路により各第１ユニットのすべての画素のスイッチを第２状態に制御し且つ各第２ユニットのすべての画素のスイッチを第１状態に制御するように構成された第２制御サブモジュールと、を含む。
【００１４】
代替として、前記制御モジュールは、更に、
表示内容が変化しなかったことが検出モジュールにより検出されると、プロセッサにより表示内容におけるすべての表示単位に対応する表示データを生成するように構成された第１生成サブモジュールと、
前記第１生成サブモジュールにより生成された、第１部分の表示単位及び第２部分の表示単位に対応する表示データを交互に前記ディスプレイスクリーンの駆動集積回路へ伝送するように、プロセッサにより伝送バスを制御するように構成された第１伝送サブモジュールと、を含み、
前記駆動集積回路は、受信した前記表示データに応じて更新するように前記ディスプレイスクリーンを制御するように構成されている。
【００１５】
代替として、前記制御モジュールは、更に、
前記表示内容が変化しなかったことが検出モジュールにより検出されると、プロセッサにより表示内容におけるすべての表示単位に対応する表示データを生成するように構成された第２生成サブモジュールと、
前記第２生成サブモジュールにより生成された表示データを前記プロセッサにより前記ディスプレイスクリーンの駆動集積回路へ伝送するように構成された第２伝送サブモジュールであって、表示データが伝送バスを介して伝送される第２伝送サブモジュールと、
前記プロセッサにより前記駆動集積回路へ交互更新指令を送信するように構成された指令送信サブモジュールと、を含み、
前記駆動集積回路は、前記交互更新指令に応じて、前記第２伝送サブモジュールにより伝送された前記表示データにおける前記第１部分の表示単位及び前記第２部分の表示単位に対応する表示データを交互に更新するように、前記ディスプレイスクリーンを制御するように構成されている。
【００１６】
代替として、前記制御モジュールは、更に、
前記表示内容が変化しなかったことが検出モジュールにより検出されると、プロセッサにより表示内容における第１部分の表示単位及び第２部分の表示単位に対応する表示データを交互に生成するように構成された第３生成サブモジュールと、
前記第３生成サブモジュールにより生成された表示データを、前記プロセッサにより前記ディスプレイスクリーンの駆動集積回路へ伝送するように構成された第３伝送サブモジュールと、を含み、
駆動集積回路は、受信した前記表示データに応じて更新するように前記ディスプレイスクリーンを制御するように構成され、前記表示データは伝送バスを介して伝送される。
【００１７】
本開示の実施例の第３側面によれば、内容を表示するための装置が提供され、該装置は、プロセッサと、プロセッサにより実行可能な指令を記憶するように構成されたメモリーと、を含み、
前記プロセッサは、ディスプレイスクリーンにおける表示内容が変化したか否かを検出し、表示内容が変化しなかった場合、各列の表示単位における第１部分の表示単位及び第２部分の表示単位に対応する表示データを交互に更新するように、前記ディスプレイスクリーンを制御するように構成されており、
前記表示単位は、列により区画されたｍ列の画素の組み合わせであり、ｍは正の整数であり、
前記第１部分の表示単位はｉ個の第１ユニットを含み、前記第２部分の表示単位はｊ個の第２ユニットを含み、第１ユニットと第２ユニットとは交互に配置されており、ｉ及びｊは正の整数であり、
前記第１ユニットは連続するｐ個の画素を含み、前記第２ユニットは連続するｑ個の画素を含み、ｐ及びｑはいずれも１より大きい。
【発明の効果】
【００１８】
本開示の実施例により提供される技術的解決策は、次の有利な効果を有し得る。
【００１９】
表示内容が変化したか否かを検出し、表示内容が変化しなかったことが検出されると、各列の表示内容における第１部分の表示単位及び第２部分の表示単位に対応する表示データを交互に更新するようにディスプレイスクリーンを制御することにより、元のリフレッシュ周波数を維持するとともに、各回のディスプレイスクリーンの更新画素数を減少させ、従って、ディスプレイスクリーンのリフレッシュ周波数を低下させることによりディスプレイスクリーンに生じ得るスプラッシュ・スクリーン現象の問題が解決される。従って、ディスプレイスクリーンの元のリフレッシュ周波数を維持するとともに、ディスプレイスクリーンのスプラッシュ・スクリーン現象を回避し、また、ディスプレイスクリーンの消費電力を低減する効果が達成される。
【００２０】
また、内容を更新するようにディスプレイスクリーンを制御するための端末の３つの実施方法によって、伝送バスの消費電力が低減され、表示データが伝送バスで伝送される時に生じる電磁障害を低減する効果が達成される。
【００２１】
上述の一般的な記述及び後述の詳細な記述の両方が単に例示及び説明用であり、本開示を制限するものではないことは、理解されるべきである。
【図面の簡単な説明】
【００２２】
この明細書に組み込まれ、またその一部を構成する添付図面は、本開示に係る実施例を図示し、明細書の記述と共に本開示の原理を説明するために用いられる。
【００２３】
【図１】実施例に係る内容を表示するための方法の実施環境を図示する概略図である。
【図２】実施例に係る内容を表示するための方法を示すフローチャートである。
【図３Ａ】実施例に係る内容を表示するための方法を示すフローチャートである。
【図３Ｂ】実施例に係る第１種の更新を図示する概略図である。
【図３Ｃ】実施例に係る第２種の更新を図示する概略図である。
【図３Ｄ】実施例に係る第３種の更新を図示する概略図である。
【図３Ｅ】実施例に係る第４種の更新を図示する概略図である。
【図３Ｆ】実施例に係る内容を表示するための方法におけるディスプレイスクリーンの第１種の表示工程を示すフローチャートである。
【図３Ｇ】実施例に係る内容を表示するための方法におけるディスプレイスクリーンの第２種の表示工程を示すフローチャートである。
【図３Ｈ】実施例に係る内容を表示するための方法におけるディスプレイスクリーンの第３種の表示工程を示すフローチャートである。
【図３Ｉ】実施例に係る内容を表示するための方法におけるディスプレイスクリーンの表示工程を示す回路図である。
【図４】実施例に係る内容を表示するための装置を示すブロック図である。
【図５】別の実施例に係る内容を表示するための装置を示すブロック図である。
【図６】実施例に係る内容を表示するための装置を示すブロック図である。
【発明を実施するための形態】
【００２４】
以下に、本発明の実施例を詳細に説明する。前記実施例の実例が図面において示されるが、異なる図面における同一の数字は、特に示さない限り、同一又は類似の要素を表す。例示的な実施例の以下の説明に記載されている実施形態は、本発明と一致する全ての実施形態を表すものではない。逆に、それらは、添付の特許請求の範囲に記載の本発明に関連する態様と一致する装置及び方法の単なる例示である。
【００２５】
本開示の様々な実施例により提供される内容を表示するための方法は、ディスプレイスクリーンを有する電子機器により実現され得る。当該電子機器は、スマートフォン、スマートテレビ、パネルコンピュータ、電子書籍リーダー、ＭＰ３（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＩＩ）プレーヤ、ＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＶ）プレーヤ、ラップトップ・ポータブル・コンピュータ（例えば、カメラ、カムコーダー）等であってもよい。ディスプレイスクリーンは、ＬＣＤ（液晶ディスプレイ）、ＬＥＤ（発光ダイオード）、又はＯＬＥＤ（有機発光ダイオード）等を用いて画素に表示するスクリーンであってもよい。
【００２６】
図１は、本開示の様々な実施例により提供される内容を表示するための方法の実施環境を図示する概略図である。図１に示すように、この実施環境は、ディスプレイスクリーンを有する電子機器の内部環境であり、プロセッサ１２０、伝送バス１４０、ディスプレイスクリーン１６０、及びディスプレイスクリーン１６０に対応する駆動集積回路１８０を含む。
【００２７】
プロセッサ１２０は、ＣＰＵ（Ｃｅｎｔｒａｌ  Ｐｒｏｃｅｓｓｉｎｇ  Ｕｎｉｔ、中央処理ユニット）又はＧＰＵ（Ｇｒａｐｈｉｃｓ  Ｐｒｏｃｅｓｓｉｎｇ  Ｕｎｉｔ、グラフィックス処理ユニット）であり、表示内容に対応する表示データを生成し、伝送バス１４０を介して駆動集積回路１８０に表示データを伝送するように構成されている。
【００２８】
プロセッサ１２０と駆動集積回路１８０は、各々、伝送バス１４０に電気的に接続され、伝送バス１４０を介して表示データを伝送する。
【００２９】
駆動集積回路１８０は、伝送バス１４０を介してプロセッサ１２０により送信された表示データを受信し、受信した表示データに応じて表示内容を更新するように、ディスプレイスクリーン１６０における対応する画素単位を制御するように構成されている。駆動集積回路１８０は、ディスプレイスクリーン１６０に電気的に接続されている。
【００３０】
説明を簡単にするため、以下に、内容を表示するための方法を端末により実行される例のみについて説明するが、これに限定されない。
【００３１】
図２は、実施例に係る内容を表示するための方法を示すフローチャートであり、図２に示すように、当該内容を表示するための方法は、次のステップを含む。
【００３２】
ステップ２０１では、ディスプレイスクリーンにおける表示内容が変化したか否かを検出する。
【００３３】
ステップ２０２では、表示内容が変化しなかった場合、各列の表示単位における第１部分の表示単位及び第２部分の表示単位に対応する表示データを交互に更新するようにディスプレイスクリーンを制御し、当該表示単位は、列により区画されたｍ列の画素の組み合わせであり、ｍは正の整数であり、第１部分の表示単位はｉ個の第１ユニットを含み、第２部分の表示単位はｊ個の第２ユニットを含み、第１ユニットと第２ユニットとは交互に配置されており、ｉ及びｊは正の整数であり、当該第１ユニットは連続するｐ個の画素を含み、当該第２ユニットは連続するｑ個の画素を含み、ｐ及びｑはいずれも１より大きい。
【００３４】
結論として、本開示の実施例により提供される内容を表示するための方法では、表示内容が変化したか否かを検出し、表示内容が変化しなかったことが検出されると、各列の表示単位における第１部分の表示単位及び第２部分の表示単位に対応する表示データを交互に更新するようにディスプレイスクリーンを制御することにより、元のリフレッシュ周波数を維持するとともに、毎回のディスプレイスクリーンの更新画素数を減少させ、従って、ディスプレイスクリーンのリフレッシュ周波数を低下させることによりディスプレイスクリーンに生じ得るスプラッシュ・スクリーン現象の問題が解決される。従って、ディスプレイスクリーンの元のリフレッシュ周波数を維持するとともに、ディスプレイスクリーンのスプラッシュ・スクリーン現象を回避し、また、ディスプレイスクリーンの消費電力を低減する効果が達成される。
【００３５】
図３Ａは、実施例に係る内容を表示するための方法を示すフローチャートであり、図３Ａに示すように、内容を表示するための方法は、次のステップを含む。
【００３６】
ステップ３０１においては、ディスプレイスクリーンにおける表示内容が所定条件を満たすか否かを検出する。
【００３７】
端末のディスプレイスクリーンが内容を表示するとき、所定の周波数に応じてディスプレイスクリーンに対応する駆動集積回路へ生成した表示データを送信するためにプロセッサが必要とされる。駆動集積回路は、当該表示データに応じてディスプレイスクリーンを制御して表示内容を表示する。当該プロセッサがＣＰＵ又はＧＰＵであってもよく、当該所定の周波数は、一般的には６０Ｈｚである。しかしながら、ある特定の場合、ディスプレイスクリーンの表示内容が短時間で変化しない可能性がある。ＲＡＭ（Ｒａｎｄｏｍ  Ａｃｃｅｓｓ  Ｍｅｍｏｒｙ、ランダム・アクセス・メモリー）を有するディスプレイスクリーンにおいて、表示内容が変化しなかった場合、駆動集積回路がＲＡＭから履歴表示データを読み取ることができるため、表示内容が変化しなかった場合、プロセッサが同一の表示データを生成するときに生じるリソースの無駄が回避される。しかしながら、ＲＡＭを有しないディスプレイスクリーンにおいて、プロセッサは、表示内容が変化しなかったとしても、依然として常に同一の表示データを生成する必要があるため、プロセッサの処理リソースの無駄が生じる。
【００３８】
同一の表示データを生成することにより生じるプロセッサの計算リソースの無駄を回避するために、端末は、リアルタイムで表示内容が所定の条件を満たすか否かを検出してもよい。表示内容が所定の条件を満たすことが検出されると、ステップ３０２が実行される。当該所定の条件は、表示内容が所定のアプリケーションに属すること、又は表示内容に要求される表示フレーム数が所定のフレーム数の閾値未満であることの少なくとも一つを含む。
【００３９】
当該所定のアプリケーションは、電子書籍、写真ビューアーといったようなアプリケーションであってもよい。通常、この種のアプリケーションに対応する表示内容は、静止画像であり、且つ一定の時間内に変化しない状態が保持される。
【００４０】
更に、当該所定のフレーム数の閾値は、ディスプレイスクリーンのデフォルトのリフレッシュ周波数であってもよい。つまり、もし表示内容が動的画像であり、且つフレーム数がディスプレイスクリーンのリフレッシュ周波数未満であれば、表示内容が所定の条件を満たす。例えば、表示内容がビデオであれば、ビデオの表示フレーム数が２４フレーム／秒であり、且つディスプレイスクリーンのリフレッシュ周波数が６０Ｈｚ（つまり、６０フレーム／秒）である場合、当該表示内容は、所定の条件を満たす。
【００４１】
ステップ３０２では、ディスプレイスクリーンの表示内容が変化したか否かを検出する。
【００４２】
表示内容が所定の条件を満たすことが検出されると、端末は、表示される表示内容が変化したか否かを検出する。表示内容が変化した場合、表示内容に対応するすべての表示データが生成される。表示内容が変化しなかった場合、ステップ３０３が実行される。
【００４３】
ある可能な実施形態において、もし表示内容が所定のアプリケーションに属し、且つ端末が、ユーザーによりトリガーされた表示内容変更信号を受信した場合、端末は、表示内容が変化したと判断する。表示内容変更信号は、ユーザーがディスプレイスクリーンにタッチすることによって発生されるトリガー信号であってもよい。
【００４４】
別の可能な実施形態において、表示内容により要求される表示フレーム数が所定のフレーム数の閾値未満であれば、端末は、表示内容により要求される表示フレーム数及びディスプレイスクリーンのリフレッシュ周波数に応じて当該表示内容の変化周期を判断し、当該変化周期に応じて表示内容が変化したか否かを検出する。例えば、現在の表示内容が要求する表示フレームの数が１５フレーム／秒であり、ディスプレイスクリーンのリフレッシュ周波数が６０Ｈｚ（つまり、６０フレーム／秒）である場合、表示内容の変化周期が４フレームである。つまり、ディスプレイスクリーンは、４フレームのリフレッシュごとに表示内容を変化させる。
【００４５】
ステップ３０３では、表示内容が変化しなかった場合、各列の表示単位における第１部分の表示単位及び第２部分の表示単位に対応する表示データを交互に更新するようにディスプレイスクリーンを制御し、当該表示単位は、列により区画されたｍ列の画素の組み合わせであり、ｍは正の整数である。
【００４６】
表示内容が変化しなかった場合、端末は、各列の表示単位における第１部分の表示単位及び第２部分の表示単位に対応する表示データを交互に更新するようにディスプレイスクリーンを制御する。ディスプレイスクリーン（例えば、ＬＣＤの液晶である）がある程度の画像保持能力を有するため、第１部分の表示単位に対応する表示データが更新される時、第２部分の表示単位が消されず、僅かに弱まるだけであって、表示内容全体の表示効果に影響が少なく、ユーザーの視覚に影響しない。
【００４７】
第１部分の表示単位はｉ個の第１ユニットを含み、第２部分の表示単位はｊ個の第２ユニットを含み、第１ユニットと第２ユニットとは交互に配置されており、ｉ及びｊが正の整数であり、当該第１ユニットは連続するｐ個の画素を含み、当該第２ユニットは連続するｑ個の画素を含み、ｐ及びｑはいずれも１より大きい。
【００４８】
表示単位がｍ列の画素の組み合わせである場合には、表示単位の一列に対応する表示データに対する更新をａ回に分けて行い、１／ａ個の画素に対応する表示データを交互に更新することができる。例えば、ａが２である場合には、表示単位に対応する表示データに対する更新を２回に分けて行う。即ち、１回目で、第１部分の表示単位に対応する表示データを更新し、２回目で、第２部分の表示単位に対応する表示データを更新し、３回目で、第１部分の表示単位に対応する表示データを更新し、４回目で、第２部分の表示単位に対応する表示データを更新し、以降類推する。ａが３である場合には、表示単位に対応する表示データに対する更新を３回に分けて行う。即ち、１回目で、第１部分の表示単位に対応する表示データを更新し、２回目で、第２部分の表示単位に対応する表示データを更新し、３回目で、第３部分の表示単位に対応する表示データを更新し、以降類推する。
【００４９】
なお、元のリフレッシュ周波数が変わらない場合には、ａの値が大きいほど、ディスプレイスクリーンに生じ得るスプラッシュ・スクリーン現象はより深刻である。例えば、元のリフレッシュ周波数が６０Ｈｚであって、ａが２である場合、各部分の表示データのリフレッシュ周波数はいずれも３０Ｈｚである。ａが３である場合、各部分の表示データのリフレッシュ周波数は、いずれも２０Ｈｚである。そのうち、リフレッシュ周波数が低いほど、より深刻なスプラッシュ・スクリーン現象が生じる。
【００５０】
スプラッシュ・スクリーン現象を回避するために、ある可能な実施態様において、元のリフレッシュ周波数を維持してａの値を小さく設定する場合、例えば、ａを２に設定する場合には、各部分の表示データのリフレッシュ周波数は３０Ｈｚである。別の可能な実施態様において、元のリフレッシュ周波数を高めるとともにａの値を大きく設定し、例えば、元のリフレッシュ周波数を６０Ｈｚから９０Ｈｚに高めるとともにａを３に設定する場合には、各部分の表示データのリフレッシュ周波数も３０Ｈｚである。
【００５１】
表示単位の一列を第１部分の表示単位と第２部分の表示単位とに分ける場合には、表示単位の一列から任意の数の画素を選択して第１部分の表示単位とし、残りの画素を第２部分の表示単位とし、第１部分の表示単位に含まれる画素の数と第２部分の表示単位に含まれる画素の数とは、同じであってもよく、異なってもよい。例えば、表示単位の一列が一列の画素の組み合わせであり、かつ一列の画素の組み合わせは、１９２０個の画素を含む場合には、その中の９６０個の画素を第１部分の表示単位とし、残りの９６０個の画素を第２部分の表示単位とする。
【００５２】
第１部分の表示単位を選択する場合には、連続する複数の画素を選択してもよい。例えば、一列の１９２０個の画素における前の９６０個の画素を第１部分の表示単位とし、残りの９６０個の画素を第２部分の表示単位とするか、または、一列の１９２０個の画素の中間にある９６０個の画素を第１部分の表示単位とし、残りの９６０個の画素を第２部分の表示単位とする。
【００５３】
第１部分の表示単位を選択する場合には、非連続する複数の画素を選択してもよい。例えば、第１部分の表示単位はｉ個の第１ユニットを含み、第２部分の表示単位はｊ個の第２ユニットを含み、且つ第１ユニットと第２ユニットとは、交互に配置されており、当該第１ユニットは、連続するｐ個の画素を含み、当該第２ユニットは連続するｑ個の画素を含む。図３Ｂ及び図３Ｃを参照すれば、ｐ及びｑは、いずれもｂ＊ｂの画素アレイであり、陰影部分は第１部分の表示単位であり、空欄部分は第２部分の表示単位である。もちろん、ｐとｑとは、異なってもよく、本実施例において、それに限定されない。
【００５４】
ｐ及びｑがいずれも２である場合には、図３Ｄ及び図３Ｅを参照し、そのうち、陰影部分は第１部分の表示単位であり、空欄部分は第２部分の表示単位である。
【００５５】
本実施例において、隣接する二つの列の表示単位において、第１列の表示単位におけるすべての第１ユニットと第２列の表示単位におけるすべての第１ユニットとは行方向に互いにずれており、かつ、隣接する二つの列の表示単位において、第１列の表示単位におけるすべての第２ユニットと第２列の表示単位におけるすべての第２ユニットとは行方向に互いにずれている。上述の図２Ｂ〜図３Ｅにおいて、２つの隣接列の陰影部分は行方向において互いにずれている。
【００５６】
なお、表示単位が一列の画素の組み合わせである場合には、ｐ個の画素は、当該列において連続的であり、表示単位が２列または複数列の画素の組み合わせである場合には、連続するｐ個の画素は、一つのｂ＊ｂの画素アレイであり、当該画素アレイにおいて、各列のｂ個の画素は連続的であり、各行のｂ個の画素は非連続的である。即ち、連続するｐ個の画素は、第１列の１〜ｂ個の画素、第３列の１〜ｂ個の画素、第５列の１〜ｂ個の画素・・・（以降類推する）を含む（図３Ｂ及び図３Ｃを参照）。
【００５７】
表示内容が変化しなかったことが検出されると、端末は、奇数回更新する時、ディスプレイスクリーンを制御して、各第１ユニットに対応する表示データのみを更新し、偶数回更新する時、各第２ユニットに対応する表示データのみを更新する。つまり、図３Ｂ及び図３Ｄの陰影部分は、奇数回更新中に更新され、図３Ｃ及び図３Ｅの陰影部分は、偶数回更新中に更新される。
【００５８】
明らかに、ディスプレイスクリーンは、上述の方法を用いて内容を表示するように制御される。表示内容が変化しなかった場合、ディスプレイスクリーンは、各リフレッシュに際して表示データの全体を更新する必要がなく、各リフレッシュに際して表示データの一部を更新すればよい。例えば、表示単位の第１部分の表示単位及び第２部分の表示単位に応じて交互に更新する場合、各回でリフレッシュする時更新される表示データは、元の表示データの半分であり、従って、ディスプレイスクリーンの消費電力が顕著に低減される。
【００５９】
表示内容を更新するように端末によりディスプレイスクリーンを制御するため、下記３つの可能な実施方法が含まれる。
【００６０】
第１の可能な実施方法においては、図３Ｆに示すように、ステップ３０３は、次のステップを含む。
【００６１】
ステップ３０３Ａでは、表示内容が変化しなかったことが検出されると、プロセッサにより、表示内容におけるすべての表示単位に対応する表示データを生成する。
【００６２】
端末のプロセッサが、表示内容が変化しなかったことを検出すると、ディスプレイスクリーンの解像度に応じて、プロセッサによって表示内容におけるすべての表示単位に対応する表示データが生成される。ここで、プロセッサは、ＣＰＵ又はＧＰＵであってもよい。例えば、ディスプレイスクリーンの解像度が１０８０×１９２０である場合、プロセッサにより生成される表示内容に対応する表示データの量が、１０８０×１９２０＝２０７３６００画素になる。
【００６３】
ステップ３０３Ｂにおいては、表示単位がｍ列の画素の組み合わせである場合には、プロセッサにより、伝送バスを制御し、第１部分の表示単位及び第２部分の表示単位に対応する表示データをディスプレイスクリーンの駆動集積回路へ交互に送信し、駆動集積回路が、受信した表示データに応じて更新するようにディスプレイスクリーンを制御する。
【００６４】
表示内容が変化しなかった時のディスプレイスクリーンにより更新される表示データの量を低減するために、表示内容が変化しなかったことがプロセッサに検出されると、表示単位がｍ列の画素の組み合わせである場合には、プロセッサにより伝送バスを制御し、第１部分の表示単位及び第２部分の表示単位に対応する表示データをディスプレイスクリーンの駆動集積回路へ交互に送信する。
【００６５】
伝送バスを介して表示データを受信した後、駆動集積回路は、受信した表示データに応じて、ディスプレイスクリーンにおける対応する画素を更新するように制御する。伝送バスが、第１部分の表示単位及び第２部分の表示単位に対応する表示データを交互に伝送するため、ディスプレイスクリーンは、各回で表示内容を更新する時、第１部分の表示単位及び第２部分の表示単位に対応する表示データのみを更新する。従来の更新方法に比較すると、表示単位の一部に対応する表示データを交互に伝送する方法は、更新するデータ量を大幅に低減するとともにユーザーの視覚に影響しない。更に、伝送バス上で伝送されるデータ量が大幅に減少されるため、データの伝送により生じる電磁干渉が、相応的に低減される。従って、端末における他の構成部品の正常動作が保証される。
【００６６】
留意すべきことは、表示内容が変化することが検出される時、プロセッサが、伝送バスを介して駆動集積回路へすべての表示データを送信し、駆動集積回路が、表示内容におけるすべての表示単位に対応する表示データを更新するようにディスプレイスクリーンを制御することである。
【００６７】
本実施例においては、表示内容が変化しなかった時、また、表示単位がｍ列の画素の組み合わせである場合、プロセッサは、第１部分の表示単位及び第２部分の表示単位に対応する表示データをディスプレイスクリーンの駆動集積回路へ交互に送信するように、伝送バスを制御し、駆動集積回路が、受信した表示データに応じて更新するようにディスプレイスクリーンを制御する。従って、伝送バスの消費電力を低減でき、表示データが伝送バスにおいて伝送される時に生成される電磁干渉を低減できる。
【００６８】
第２の可能な実施方法においては、図３Ｇに示すように、上述のステップ３０３が次のステップを含む。
【００６９】
ステップ３０３Ｃでは、表示内容が変化しなかったことが検出されると、プロセッサにより、表示内容におけるすべての表示単位に対応する表示データを生成する。
【００７０】
このステップの実施は、前述したステップ３０３Ａと同様であり、ここでは説明しない。
【００７１】
ステップ３０３Ｄにおいては、プロセッサにより、ディスプレイスクリーンの駆動集積回路へ当該表示データを伝送し、当該表示データは伝送バスを介して伝送される。
【００７２】
上述のステップ３０３Ｂと異なるのは、プロセッサが伝送バスを介して駆動集積回路へすべての表示データを伝送することである。
【００７３】
ステップ３０３Ｅにおいては、表示単位がｍ列の画素の組み合わせである場合、プロセッサにより、駆動集積回路へ第１交互更新指令を送信し、駆動集積回路が、第１交互更新指令に応じて、第１部分の表示単位及び第２部分の表示単位に対応する表示データを交互に更新するようにディスプレイスクリーンを制御する。
【００７４】
プロセッサは、伝送バスにすべての表示データを伝送すると同時に、駆動集積回路へ交互更新指令を送信する。表示単位が、ｍ列の画素の組み合わせである場合、プロセッサは、表示データにおける第１部分の表示単位及び第２部分の表示単位に対応する表示データを交互に更新するようにディスプレイスクリーンを制御するよう駆動集積回路に指示する。これにより、表示内容が変化しなかった時、ディスプレイスクリーンによる表示データが交互に更新され、ディスプレイスクリーンの消費電力が低減される効果が達成される。
【００７５】
留意すべきことは、表示内容が変化する時、プロセッサが、前記交互更新指令を送信せずに、伝送バスのみを介して駆動集積回路へすべての表示データを伝送することである。これに応じて、駆動集積回路は、表示データにおけるすべての表示単位の表示データを更新するようにディスプレイスクリーンを制御する。
【００７６】
本実施例においては、表示内容が変化しなかった時、プロセッサが、駆動集積回路へすべての表示単位に対応する表示データを送信するだけでなく、駆動集積回路へ交互更新指令も送信し、次に、表示データにおける第１部分の表示単位及び第２部分の表示単位に対応する表示データを交互に更新するようにディスプレイスクリーンを制御するよう駆動集積回路に指示する。これにより、表示内容が変化しなかった場合、ディスプレイスクリーンの表示データの更新量を低減し、ディスプレイスクリーンの消費電力を低減する。
【００７７】
第３の可能な実施方法においては、図３Ｈに示すように、上述のステップ３０３は、次のステップを含む。
【００７８】
ステップ３０３Ｆにおいては、表示内容が変化しなかったことが検出されると、表示単位がｍ列の画素の組み合わせである場合には、プロセッサにより、表示内容における第１部分の表示単位及び第２部分の表示単位に対応する表示データを交互に生成する。
【００７９】
上述のステップ３０３Ａと３０３Ｃとが異なるのは、表示内容が変化しなかったことが検出されると、プロセッサが、表示データ生成段階の過程で第１部分の表示単位及び第２部分の表示単位に対応する表示データを交互に生成することである。表示データの全体を生成することに比べ、表示データの一部のみを生成するため、プロセッサが表示データを生成する時に利用する処理リソースは、大幅に低減され、プロセッサの消費電力が低減される。
【００８０】
ステップ３０３Ｇにおいては、プロセッサにより、ディスプレイスクリーンの駆動集積回路へ生成された表示データを伝送し、駆動集積回路が、受信した表示データに応じて更新するようにディスプレイスクリーンを制御し、当該表示データが伝送バスを介して伝送される。
【００８１】
プロセッサは、第１部分の表示単位及び第２部分の表示単位に対応する表示データを交互に生成し、生成した表示データを、伝送バスを介して駆動集積回路へ伝送し、駆動集積回路は、当該表示データに応じて更新するようにディスプレイスクリーンを制御する。従って、表示内容が変化しなかった場合、ディスプレイスクリーンの表示データの更新量が低減されるだけでなく、伝送バス上のデータの伝送量が低減され、表示データが伝送バス上を伝送される時に生成される電磁干渉が低減される。
【００８２】
本実施例においては、表示内容が変化しなかった時、プロセッサは、表示内容における第１部分の表示単位及び第２部分の表示単位に対応する表示データを交互に生成し、伝送バスを介してディスプレイスクリーンの駆動集積回路へ生成した表示データを伝送し、そして、駆動集積回路は、当該表示データに応じて更新するようにディスプレイスクリーンを制御する。これにより、プロセッサにより生成される表示データの量が低減され、プロセッサの消費電力が低減されるだけでなく、伝送バスの消費電力が低減され、また、表示データが伝送バス上を伝送される時に生成される電磁干渉が低減される。
【００８３】
上述の３つの方法により表示データを取得した後、駆動集積回路は、表示データを更新するようにディスプレイスクリーンを制御することができる。実施過程では、ステップ３０３は、表示単位が列により区画されたｍ列の画素の組み合わせである場合、奇数回更新する時、駆動集積回路により各第１ユニットのすべての画素のスイッチを第１状態に制御し且つ各第２ユニットのすべての画素のスイッチを第２状態に制御することと、偶数回更新する時、駆動集積回路により各第１ユニットのすべての画素のスイッチを第２状態に制御し且つ各第２ユニットのすべての画素のスイッチを第１状態に制御することと、を更に含んでもよい。
【００８４】
実行するための電気回路において、各画素は、対応のイネーブル線を介して駆動集積回路に電気的に接続され、スイッチを介してデータ線に電気的に接続され、駆動集積回路は、イネーブル線を介して画素に対応するスイッチの状態を制御してもよい。なお、第１状態はオン状態であり、第２状態はオフ状態であり、若しくは第１状態はオフ状態であり、第２状態はオン状態である。
【００８５】
例えば、駆動集積回路がイネーブル線を介してオン状態に画素のスイッチを制御する時、当該画素の表示データは、データ線上で表示データを伝送することにより更新される。駆動集積回路がイネーブル線を介してオフ状態に画素のスイッチを制御する時、当該画素の表示データは、変化しない状態を保持する。
【００８６】
この実施例においては、各画素について一つのデータ線が設けられてもよく、複数の画素について一つのデータ線が設けられてもよいが、本実施例において限定されない。図３Ｉを参照して、一列の画素の組み合わせについて一つのデータ線が設けられる場合を例にとって説明する。第１ユニット及び第２ユニットのそれぞれに、連続する２個の画素を含む場合、第１行の画素の組み合わせをスキャンする時、つまり、第１行の表示単位に対応する表示データを更新する時、イネーブル線１を通じてスイッチ１をオンに制御し、イネーブル線２を通じてスイッチ２をオフに制御し、・・・、以降類推し、イネーブル線ｂ／２を通じてスイッチｂをオンに制御する。第２行の画素の組み合わせをスキャンする時、イネーブル線１を通じてスイッチ１をオフに制御し、イネーブル線２を通じてスイッチ２をオンに制御し、・・・、以降類推し、イネーブル線ｂ／２を通じてスイッチｂをオフに制御する。第３行の画素の組み合わせをスキャンする時、イネーブル線１を通じてスイッチ１をオフに制御し、イネーブル線２を通じてスイッチ２をオンに制御し、・・・、以降類推し、イネーブル線ｂ／２を通じてスイッチｂオフに制御する。第４行の画素の組み合わせをスキャンする時、イネーブル線１を通じてスイッチ１をオフに制御し、イネーブル線２を通じてスイッチ２をオンに制御し、・・・、以降類推し、イネーブル線ｂ／２を通じてスイッチｂをオフに制御する。
【００８７】
結論としては、本開示の実施例により提供される内容を表示するための方法によれば、ディスプレイスクリーンの表示内容が変化したか否かを検出し、もし表示内容が変化しなかった場合、表示内容における第１部分の表示単位及び第２部分の表示単位に対応する表示データを交互に更新するようにディスプレイスクリーンを制御することにより、元のリフレッシュ周波数を維持するとともに各回のディスプレイスクリーンの更新画素の数が低減され、ディスプレイスクリーンのリフレッシュ周波数を低減することによりディスプレイスクリーンに生じ得るスプラッシュ・スクリーン現象の問題が解決され、従って、ディスプレイスクリーンのスプラッシュ・スクリーン現象を回避し、また、ディスプレイスクリーンの元のリフレッシュ周波数を維持しながらディスプレイスクリーンの消費電力を低減する効果が達成される。
【００８８】
また、内容を更新するようにディスプレイスクリーンを制御するための端末の３つの実施方法によれば、伝送バスの消費電力が低減され、表示データが伝送バスで伝送される時に生じる電磁干渉が低減される効果が達成される。
【００８９】
図４は、実施例に係る内容を表示するための装置を示すブロック図である。図４に示すように、内容を表示するための装置は、検出モジュール４１０及び制御モジュール４２０を含む。
【００９０】
当該検出モジュール４１０は、ディスプレイスクリーンにおける表示内容が変化したか否かを検出するように構成されている。
【００９１】
当該制御モジュール４２０は、検出モジュール４１０により表示内容が変化しなかったことが検出されると、各列の表示単位における第１部分の表示単位及び第２部分の表示単位に対応する表示データを交互に更新するようにディスプレイスクリーンを制御するように構成され、表示単位は列により区画されたｍ列の画素の組み合わせであり、ｍは正の整数である。
【００９２】
当該第１部分の表示単位はｉ個の第１ユニットを含み、当該第２部分の表示単位はｊ個の第２ユニットを含み、第１ユニットと第２ユニットとは交互に配置されており、ｉ及びｊは正の整数である。
【００９３】
第１ユニットは連続するｐ個の画素を含み、第２ユニットは連続するｑ個の画素を含み、ｐ及びｑはいずれも１より大きい。
【００９４】
結論としては、本開示の実施例により提供される内容を表示するための装置によれば、ディスプレイスクリーンの表示内容が変化したか否かを検出し、表示内容が変化しなかった場合、各列の表示単位における第１部分の表示単位及び第２部分の表示単位に対応する表示データを交互に更新するようにディスプレイスクリーンを制御することにより、元のリフレッシュ周波数を維持するとともに各回のディスプレイスクリーンの更新画素の数が低減され、ディスプレイスクリーンのリフレッシュ周波数を低減することによりディスプレイスクリーンに生じ得るスプラッシュ・スクリーン現象の問題が解決され、従って、ディスプレイスクリーンのスプラッシュ・スクリーン現象を回避するとともに、ディスプレイスクリーンの元のリフレッシュ周波数を維持し、ディスプレイスクリーンの消費電力を低減する効果が達成される。
【００９５】
図５は、実施例に係る内容を表示するための装置を示すブロック図である。図５に示すように、内容を表示するための装置は、検出モジュール５１０及び制御モジュール５２０を含む。
【００９６】
当該検出モジュール５１０は、ディスプレイスクリーンの表示内容が変化したか否かを検出するように構成されている。
【００９７】
当該制御モジュール５２０は、検出モジュール５１０により表示内容が変化しなかったことが検出されると、各列の表示単位における第１部分の表示単位及び第２部分の表示単位に対応する表示データを交互に更新するようにディスプレイスクリーンを制御するように構成され、表示単位は、列により区画されたｍ列の画素の組み合わせであり、ｍは正の整数である。
【００９８】
当該第１部分の表示単位はｉ個の第１ユニットを含み、当該第２部分の表示単位はｊ個の第２ユニットを含み、第１ユニットと第２ユニットとは交互に配置されており、ｉ及びｊは正の整数である。
【００９９】
第１ユニットは連続するｐ個の画素を含み、第２ユニットは連続するｑ個の画素を含み、ｐ及びｑはいずれも１より大きい。
【０１００】
代替として、隣接する二つの列の表示単位において、第１列の表示単位におけるすべての第１ユニットと第２列の表示単位におけるすべての第１ユニットとは行方向に互いにずれており、かつ、隣接する二つの列の表示単位において、第１列の表示単位におけるすべての第２ユニットと第２列の表示単位におけるすべての第２ユニットとは行方向に互いにずれている。
【０１０１】
代替として、各画素は、対応するイネーブル線を介して駆動集積回路に電気的に接続され、且つ各画素はスイッチを介してデータ線に電気的に接続され、当該制御モジュール５２０は、第１制御サブモジュール５２１と第２制御サブモジュール５２２とを含む。
【０１０２】
当該第１制御サブモジュール５２１は、奇数回更新する時、駆動集積回路により各第１ユニットのすべての画素のスイッチを第１状態に制御し且つ各第２ユニットのすべての画素のスイッチを第２状態に制御するように構成さている。
【０１０３】
当該第２制御サブモジュール５２２は、偶数回更新する時、駆動集積回路により各第１ユニットのすべての画素のスイッチを第２状態に制御し且つ各第２ユニットのすべての画素のスイッチを第２状態に制御するように構成される。
【０１０４】
代替として、当該制御モジュール５２０は、第１生成サブモジュール５２３及び第１伝送サブモジュール５２４を更に含む。
【０１０５】
第１生成サブモジュール５２３は、表示内容が変化しなかったことが検出モジュール５１０により検出されると、プロセッサにより表示内容におけるすべての表示単位に対応する表示データを生成するように構成されている。
【０１０６】
当該第１伝送サブモジュール５２４は、第１生成サブモジュール５２３により生成され、第１部分の表示単位及び第２部分の表示単位に対応する表示データを交互にディスプレイスクリーンの駆動集積回路へ伝送するように、プロセッサにより伝送バスを制御するように構成され、駆動集積回路は、受信した表示データに応じて更新するようにディスプレイスクリーンを制御するように構成されている。
【０１０７】
代替として、当該制御モジュールは、更に、第２生成サブモジュール５２５、第２伝送サブモジュール５２６、及び指令送信サブモジュール５２７を含む。
【０１０８】
当該第２生成サブモジュール５２５は、表示内容が変化しなかったことが検出モジュール５１０により検出されると、プロセッサにより表示内容におけるすべての表示単位に対応する表示データを生成するように構成されている。
【０１０９】
当該第２伝送サブモジュール５２６は、第２生成サブモジュール５２５により生成された表示データを、プロセッサによりディスプレイスクリーンの駆動集積回路へ伝送するように構成され、表示データは、伝送バスを介して伝送される。
【０１１０】
当該指令送信サブモジュール５２７は、プロセッサにより駆動集積回路へ交互更新指令を送信するように構成され、駆動集積回路は、交互更新指令に応じて、第２伝送サブモジュール５２６により伝送された表示データにおける第１部分の表示単位及び第２部分の表示単位に対応する表示データを交互に更新するようにディスプレイスクリーンを制御するように構成されている。
【０１１１】
代替として、当該制御モジュール５２０は、更に、第３生成サブモジュール５２８及び第３伝送サブモジュール５２９を含む。
【０１１２】
当該第３生成サブモジュール５２８は、表示内容が変化しなかったことが検出モジュール５１０により検出されると、プロセッサにより表示内容における第１部分の表示単位及び第２部分の表示単位に対応する表示データを交互に生成するように構成されている。
【０１１３】
当該第３伝送サブモジュール５２９は、プロセッサにより、
第３生成サブモジュール５２８により生成された表示データをディスプレイスクリーンの駆動集積回路へ伝送するように構成され、駆動集積回路は、受信した表示データに応じて更新するようにディスプレイスクリーンを制御するように構成され、表示データは、伝送バスを介して伝送される。
【０１１４】
結論としては、本開示の実施例により提供される内容を表示するための装置によれば、ディスプレイスクリーンの表示内容が変化したか否かを検出し、表示内容が変化しなかった場合、表示内容の第１部分の表示単位及び第２部分の表示単位に対応する表示データを交互に更新するようにディスプレイスクリーンを制御することにより、元のリフレッシュ周波数を維持するとともに各回のディスプレイスクリーンの更新画素の数が低減され、ディスプレイスクリーンのリフレッシュ周波数を低減することによりディスプレイスクリーンに生じ得るスプラッシュ・スクリーン現象の問題が解決され、従って、ディスプレイスクリーンのスプラッシュ・スクリーン現象を回避するとともに、ディスプレイスクリーンの元のリフレッシュ周波数を維持し、ディスプレイスクリーンの消費電力を低減する効果が達成される。
【０１１５】
また、内容を更新するようにディスプレイスクリーンを制御するための端末の３つの実施方法によれば、伝送バスの消費電力が低減され、表示データが伝送バスで伝送される時に生じる電磁干渉が低減される効果が達成される。
【０１１６】
上述の実施例における装置に関しては、本明細書で述べた個別のモジュールの動作を実行するための具体的な方式は、方法に関する実施例にて既に詳細に記述されているため、ここで繰り返し詳細に説明しない。
【０１１７】
本開示の実施例において、内容を表示するための装置が提供され、本開示によって提供される内容を表示するための方法を実現化できる。この内容を表示するための装置は、プロセッサと、プロセッサにより実行可能な指令を記憶するように構成されたメモリーとを備える。
【０１１８】
当該プロセッサは、ディスプレイスクリーンにおける表示内容が変化したか否かを検出し、表示内容が変化しなかった場合、各列の表示単位における第１部分の表示単位及び第２部分の表示単位に対応する表示データを交互に更新するようにディスプレイスクリーンを制御するように構成され、表示単位は、列により区画されたｍ列の画素の組み合わせであり、ｍは正の整数である。
【０１１９】
第１部分の表示単位はｉ個の第１ユニットを含み、第２部分の表示単位はｊ個の第２ユニットを含み、第１ユニットと第２ユニットとは交互に配置されており、ｉ及びｊは正の整数である。
【０１２０】
第１ユニットは、連続するｐ個の画素を含み、当該第２ユニットは連続するｑ個の画素を含み、ｐ及びｑはいずれも１より大きい。
【０１２１】
図６は、実施例に係る内容を表示するための装置６００を示すブロック図である。例えば、装置６００は、携帯電話、コンピュータ、デジタル・ブロードキャスト端末、メッセージング装置、ゲーム・コンソール、タブレット、医療装置、エクササイズ器具、ＰＤＡ（パーソナル・デジタル・アシスタンス）及び同種のものである。
【０１２２】
図６を参照すると、装置６００は、処理部６０２、メモリー６０４、電源部６０６、マルチメディア部６０８、音声部６１０、入出力（Ｉ／Ｏ）インターフェイス６１２、センサー部６１４、及び通信部６１６の１以上の構成部品を含む。
【０１２３】
処理部６０２は、一般的には、ディスプレイ表示、電話通話、データ通信、カメラ作動、及び記録動作といった装置６００全体の作動を制御する。処理部６０２は、１以上のプロセッサ６１８を含み、上述の方法の全て又は一部のステップを実行するように指令を実行する。更には、処理部６０２は、１以上のモジュールを含み、処理部６０２と他の構成部品との間の相互作用を促進してもよい。例えば、処理部６０２は、マルチメディア部６０８と処理部６０２との間の相互作用を促進するために、マルチメディア・モジュールを含む。
【０１２４】
メモリー６０４は、装置６００における作動をサポートするために、様々な種類のデータを記憶するように構成されている。そのようなデータの例として、装置６００上で作動する任意のアプリケーション又は方法のための指令、連絡先データ、電話帳データ、メッセージ、写真、ビデオ等が含まれる。メモリー６０４は、スタティック・ランダム・アクセス・メモリー（ＳＲＡＭ）、電気的に消去可能なプログラム可能なリードオンリー・メモリー（ＥＥＰＲＯＭ）、消去可能なプログラム可能なリードオンリー・メモリー（ＥＰＲＯＭ）、プログラム可能なリードオンリー・メモリー（ＰＲＯＭ）、リードオンリー・メモリー（ＲＯＭ）、磁気メモリー、フラッシュメモリー、磁気又は光学ディスクといった任意の種類の揮発性又は不揮発性メモリー装置、又はこれらの組み合わせによって構成されてもよい。
【０１２５】
電源部６０６は、装置６００の様々な構成部品に電力を供給するように構成されている。電源部６０６は、電源管理システム、１以上の電源、及び装置６００における電力の生成、制御、及び分配に関連する他の構成部品を含んでもよい。
【０１２６】
マルチメディア部６０８は、前記装置６００とユーザーとの間の出力インターフェイスを提供するためのスクリーンを含む。幾つかの実施例においては、スクリーンは、液晶ディスプレイ（ＬＣＤ）及びタッチパネル（ＴＰ）を含んでもよい。スクリーンがタッチパネルを含む場合、スクリーンは、タッチスクリーンであってもよく、ユーザーからの入力信号を受信する。タッチパネルは、１以上の接触センサーを含み、タッチパネル上の接触、スワイプ、及びジェスチャーを検出する。接触センサーは、タッチ又はスワイプのアクションの境界を検出するだけでなく、タッチ又はスワイプのアクションに関する継続期間及び圧力も検出してもよい。幾つかの実施例においては、マルチメディア部６０８は、フロントカメラ及び／又はリアカメラを含む。フロントカメラ及び／又はリアカメラは、装置６００が写真モード又はビデオモードといった動作モードにある時、外部のマルチメディアデータを受信することができる。フロントカメラ及びリアカメラのそれぞれは、固定された光学レンズ系であってもよいし、或いはフォーカス及び光学ズーム機能を有してもよい。
【０１２７】
音声部６１０は、音声信号を出力及び／又は入力するように構成されている。例えば、音声部６１０は、マイクロホン（マイク）を含み、装置６００が通話モード、記録モード、及び音声識別モードといった動作モードにある時、マイクロホンは、外部の音声信号を受信するように構成されている。受信した音声信号は、更に、メモリー６０４に記憶されるか、または通信部６１６を介して伝送されてもよい。幾つかの実施例において、音声部６１０は、更に、スピーカーを含み、音声信号を出力するように構成されている。
【０１２８】
Ｉ／Ｏインターフェイス６１２は、処理部６０２と、キーボード、クリックホイール、ボタン、及び同種のものといった周辺インターフェイスモジュールとの間のインターフェイスを提供するように構成されている。それらのボタンは、以下に限定されるものではないが、ホームボタン、音量ボタン、スタートボタン、及びロックボタンを含んでもよい。
【０１２９】
センサー部６１４は、１以上のセンサーを含み、装置６００に様々な態様のステータス評価を提供するために用いられる。例えば、センサー部６１４は、装置６００のオン／オフ状態、装置６００の構成部品（例えば、ディスプレイスクリーン及びキーパッド）の相対的な位置を検出してもよい。センサー部６１４は、更に、装置６００又は装置６００の構成部品の位置変化、ユーザーと装置６００との接触の有無、装置６００の方位又は加速／減速、及び装置６００の温度変化を検出してもよい。センサー部６１４は、任意の物理的な接触がない場合、付近の対象物の存在を検出するように構成された近接センサーを含んでもよい。センサー部６１４は、イメージングアプリケーションにおける使用のため、ＣＭＯＳ又はＣＣＤイメージセンサーといった光センサーを更に含んでもよい。幾つかの実施例においては、センサー部６１４は、加速度センサー、ジャイロスコープセンサー、磁気センサー、圧力センサー、又は温度センサーを更に含んでもよい。
【０１３０】
通信部６１６は、装置６００と他の端末の間の有線又は無線通信を促進するように構成されている。装置６００は、ＷｉＦｉ（登録商標）、２Ｇ、又は３Ｇ、又はこれらの組み合わせといった通信規格に基づく無線ネットワークにアクセス可能である。実施例において、通信部６１６は、ブロードキャスト・チャンネルを介して外部のブロードキャスト制御システムからのブロードキャスト信号又はブロードキャストの関連情報を受信する。実施例において、通信部６１６は、更に、近距離無線通信（ＮＦＣ）モジュールを含み、短距離通信を促進する。例えば、ＮＦＣモジュールは、無線識別（ＲＦＩＤ）技術、赤外線通信規格（ＩｒＤＡ）技術、ウルトラワイドバンド（ＵＷＢ）技術、ブルートゥース（登録商標）（ＢＴ）技術又は他の技術に基づいて実現されてもよい。
【０１３１】
実施例においては、装置６００は、上述の方法を実行するため、特定用途向け集積回路（ＡＳＩＣ）、デジタル信号プロセッサ（ＤＳＰ）、デジタル信号処理装置（ＤＳＰＤ）、プログラム可能論理装置（ＰＬＤ）、フィールド・プログラマブル・ゲート・アレイ（ＦＰＧＡ）、コントローラ、マイクロコントローラ、マイクロプロセッサ、又は他の電子部品といった１以上の電子装置によって実現されてもよい。
【０１３２】
実施例においては、指令を含む非一時的なコンピュータ可読記憶媒体、例えば、指令を含むメモリー６０４が更に提供され、装置６００のプロセッサ６２０によって前記指令を実行することによって、前述した方法が実行されてもよい。例えば、非一時的なコンピュータ可読記憶媒体は、ＲＯＭ、ＲＡＭ、ＣＤ−ＲＯＭ、磁気テープ、フロッピーディスク、光学データ記憶装置、及び同種のものであってもよい。
【０１３３】
当業者は、本明細書の検討及び本開示の実践を通じて、本開示の他の実施例を容易に想到するであろう。本出願は、本開示に係る任意の変形、用途又は適応的な変更を含むことを意図する。これらの変形、用途又は適応的な変更は、本開示の一般的な原理に従い、且つ本開示において開示されていないものの、本技術分野における公知の知識又は慣用の技術手法を含む。明細書及び実施例は、例示的なものとして理解されることが意図され、本開示の実質的な範囲及び精神は、次の特許請求の範囲によって示される。
【０１３４】
本開示は、上述及び添付図面に図示された正確な構成に限定されるものではないことは理解されるべきである。また、本開示の範囲から逸脱することなく、様々な修正及び変更が可能である。本開示の範囲は、添付された請求項のみによって限定されることが意図される。
【図１】
2017538136.tif 000003
【図２】
2017538136.tif 000004
【図３Ａ】
2017538136.tif 000005
【図３Ｂ】
2017538136.tif 000006
【図３Ｃ】
2017538136.tif 000007
【図３Ｄ】
2017538136.tif 000008
【図３Ｅ】
2017538136.tif 000009
【図３Ｆ】
2017538136.tif 000010
【図３Ｇ】
2017538136.tif 000011
【図３Ｈ】
2017538136.tif 000012
【図３Ｉ】
2017538136.tif 000013
【図４】
2017538136.tif 000014
【図５】
2017538136.tif 000015
【図６】
2017538136.tif 000016
【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
内容を表示するための方法であって、
ディスプレイスクリーンにおける表示内容が変化したか否かを検出することと、
前記表示内容が変化しなかった場合、各列の表示単位における第１部分の表示単位及び第２部分の表示単位に対応する表示データを交互に更新するように前記ディスプレイスクリーンを制御することと、を含み、
前記表示単位は、列により区画されたｍ列の画素の組み合わせであり、ｍは正の整数であり、
前記第１部分の表示単位はｉ個の第１ユニットを含み、前記第２部分の表示単位はｊ個の第２ユニットを含み、前記第１ユニットと前記第２ユニットとは交互に配置されており、ｉ及びｊは正の整数であり、
前記第１ユニットは連続するｐ個の画素を含み、前記第２ユニットは連続するｑ個の画素を含み、ｐ及びｑはいずれも１より大きいことを特徴とする方法。
【請求項２】
隣接する二つの列の前記表示単位において、第１列の表示単位におけるすべての第１ユニットと第２列の表示単位におけるすべての第１ユニットとは行方向に互いにずれており、かつ、隣接する二つの列の前記表示単位において、第１列の表示単位におけるすべての第２ユニットと第２列の表示単位におけるすべての第２ユニットとは行方向に互いにずれていることを特徴とする請求項１に記載の方法。
【請求項３】
各画素は、対応するイネーブル線を介して駆動集積回路に電気的に接続されており、且つ各画素は、スイッチを介してデータ線に電気的に接続されており、
前記各列の表示単位における第１部分の表示単位及び第２部分の表示単位に対応する表示データを交互に更新するように前記ディスプレイスクリーンを制御することは、
奇数回更新する時、前記駆動集積回路により各第１ユニットのすべての画素のスイッチを第１状態に制御し且つ各第２ユニットのすべての画素のスイッチを第２状態に制御することと、
偶数回更新する時、前記駆動集積回路により各第１ユニットのすべての画素のスイッチを第２状態に制御し且つ各第２ユニットのすべての画素のスイッチを第１状態に制御することと、
を含むことを特徴とする、請求項１又は２に記載の方法。
【請求項４】
前記各列の表示単位における第１部分の表示単位及び第２部分の表示単位に対応する表示データを交互に更新するように前記ディスプレイスクリーンを制御することは、更に、
前記表示内容が変化しなかったことが検出されると、プロセッサにより前記表示内容におけるすべての表示単位に対応する前記表示データを生成することと、
前記ディスプレイスクリーンの駆動集積回路へ前記第１部分の表示単位及び前記第２部分の表示単位に対応する前記表示データを交互に伝送するように、前記プロセッサにより伝送バスを制御することと、を含み、
前記駆動集積回路は、受信した前記表示データに応じて更新するように前記ディスプレイスクリーンを制御するように構成されていることを特徴とする請求項３に記載の方法。
【請求項５】
前記各列の表示単位における第１部分の表示単位及び第２部分の表示単位に対応する表示データを交互に更新するように前記ディスプレイスクリーンを制御することは、更に、
前記表示内容が変化しなかったことが検出されると、プロセッサにより前記表示内容におけるすべての表示単位に対応する前記表示データを生成することと、
前記プロセッサにより前記ディスプレイスクリーンの駆動集積回路へ、伝送バスを介して伝送される前記表示データを伝送することと、
前記プロセッサにより前記駆動集積回路へ交互更新指令を送信することと、を含み、
前記駆動集積回路は、前記交互更新指令に応じて前記表示データにおける前記第１部分の表示単位及び前記第２部分の表示単位に対応する表示データを交互に更新するように前記ディスプレイスクリーンを制御するように構成されていることを特徴とする、請求項３に記載の方法。
【請求項６】
前記各列の表示単位における第１部分の表示単位及び第２部分の表示単位に対応する表示データを交互に更新するように前記ディスプレイスクリーンを制御することは、更に、
前記表示内容が変化しなかったことが検出されると、プロセッサにより前記表示内容における前記第１部分の表示単位及び前記第２部分の表示単位に対応する前記表示データを交互に生成することと、
生成された前記表示データを前記プロセッサにより前記ディスプレイスクリーンの前記駆動集積回路へ伝送することと、を含み、
前記駆動集積回路は、受信した前記表示データに応じて更新するように前記ディスプレイスクリーンを制御するように構成され、前記表示データは、伝送バスを介して伝送されることを特徴とする請求項３に記載の方法。
【請求項７】
内容を表示するための装置であって、
ディスプレイスクリーンにおける表示内容が変化したか否かを検出するように構成された検出モジュールと、
前記表示内容が変化しなかったことが前記検出モジュールにより検出されると、各列の表示単位における第１部分の表示単位及び第２部分の表示単位に対応する表示データを交互に更新するように前記ディスプレイスクリーンを制御するように構成された制御モジュールと、を含み、
前記表示単位は、列により区画されたｍ列の画素の組み合わせであり、ｍは正の整数であり、
前記第１部分の表示単位はｉ個の第１ユニットを含み、前記第２部分の表示単位はｊ個の第２ユニットを含み、前記第１ユニットと前記第２ユニットとは交互に配置されており、ｉ及びｊは正の整数であり、
前記第１ユニットは連続するｐ個の画素を含み、前記第２ユニットは連続するｑ個の画素を含み、ｐ及びｑはいずれも１より大きいことを特徴とする装置。
【請求項８】
隣接する二つの列の表示単位において、第１列の表示単位におけるすべての第１ユニットと第２列の表示単位におけるすべての第１ユニットとは行方向に互いにずれており、かつ、隣接する二つの列の表示単位において、第１列の表示単位におけるすべての第２ユニットと第２列の表示単位におけるすべての第２ユニットとは行方向に互いにずれていることを特徴とする請求項７に記載の装置。
【請求項９】
各画素は、対応するイネーブル線を介して駆動集積回路に電気的に接続されており、且つ各画素は、スイッチを介してデータ線に電気的に接続されており、
前記制御モジュールは、
奇数回更新する時、前記駆動集積回路により各第１ユニットのすべての画素のスイッチを第１状態に制御し且つ各第２ユニットのすべての画素のスイッチを第２状態に制御するように構成された第１制御サブモジュールと、
偶数回更新する時、前記駆動集積回路により各第１ユニットのすべての画素のスイッチを第２状態に制御し且つ各第２ユニットのすべての画素のスイッチを第１状態に制御するように構成された第２制御サブモジュールと、
を含むことを特徴とする、請求項７又は８に記載の装置。
【請求項１０】
前記制御モジュールは、更に、
前記表示内容が変化しなかったことが前記検出モジュールにより検出されると、プロセッサによって前記表示内容におけるすべての表示単位に対応する前記表示データを生成するように構成された第１生成サブモジュールと、
前記第１生成サブモジュールにより生成された前記第１部分の表示単位及び前記第２部分の表示単位に対応する前記表示データを交互に前記ディスプレイスクリーンの駆動集積回路へ伝送するように、前記プロセッサにより伝送バスを制御するように構成された第１伝送サブモジュールと、を含み、
前記駆動集積回路は、受信した前記表示データに応じて更新するように前記ディスプレイスクリーンを制御するように構成されていることを特徴とする、請求項９に記載の装置。
【請求項１１】
前記制御モジュールは、更に、
前記表示内容が変化しなかったことが前記検出モジュールにより検出されると、プロセッサにより前記表示内容におけるすべての表示単位に対応する前記表示データを生成するように構成された第２生成サブモジュールと、
前記第２生成サブモジュールにより生成された前記表示データを前記プロセッサにより前記ディスプレイスクリーンの駆動集積回路へ伝送するように構成された第２伝送サブモジュールであって、前記表示データが伝送バスを介して伝送される第２伝送サブモジュールと、
前記プロセッサにより前記駆動集積回路へ交互更新指令を送信するように構成された指令送信サブモジュールと、を含み、
前記駆動集積回路は、前記交互更新指令に応じて、前記第２伝送サブモジュールにより伝送された前記表示データにおける前記第１部分の表示単位及び前記第２部分の表示単位に対応する表示データを交互に更新するように、前記ディスプレイスクリーンを制御するように構成されていることを特徴とする、請求項９又は１０に記載の装置。
【請求項１２】
前記制御モジュールは、更に、
前記表示内容が変化しなかったことが前記検出モジュールにより検出されると、プロセッサにより前記表示内容における前記第１部分の表示単位及び前記第２部分の表示単位に対応する前記表示データを交互に生成するように構成された第３生成サブモジュールと、
前記第３生成サブモジュールにより生成された前記表示データを、前記プロセッサにより前記ディスプレイスクリーンの駆動集積回路へ伝送するように構成された第３伝送サブモジュールと、を含み、
前記駆動集積回路は、受信した前記表示データに応じて更新するように前記ディスプレイスクリーンを制御するように構成され、前記表示データは伝送バスを介して伝送されることを特徴とする、請求項９〜１１のいずれか１項に記載の装置。
【請求項１３】
コンピュータを動作させるとき、請求項１〜６のいずれか１項に記載の内容を表示するための方法をコンピュータに実行させるコンピュータプログラム。
【請求項１４】
請求項１３に記載のコンピュータプログラムが記憶されたコンピュータ可読記憶媒体。
【国際調査報告】
2017538136.tif 000017
2017538136.tif 000018
2017538136.tif 000019
2017538136.tif 000020